(57)【要約】  ねじ接合部は、ピン（３）とボックス（２）の間に間挿され、該ピンのねじセクションの端部の後で該ピンの表面の１部分に位置付けられたシール用リング（１１）を具備する。該シール用リングは縦軸線に対し傾けられた角度で位置付けられた２つの突出する環状リップ（１５，１６）、外側円柱面上の２つ以上の環状リブ（１８）、そして該シール用リング（１１）内に埋め込まれた強化リング（１４）を備え、該環状リブ（１８）により、該ボックスの環状溝（１０）の内面と緊密にシール接触をする。該シール用リング（１１）の内面（１９）は急な変動の無いよう作られ、均一な直径を有するか又は突出する環状リブ（１３）を有してもよい。【選択図】  図１
2010530943.tif 000002
【特許請求の範囲】
【請求項１】
軸線（Ａ）を規定しており、ピンとして規定された雄ねじチューブ（３）と、ボックスとして規定された雌ねじチューブ（２）と、そしてシール用リング（１１）と、を具備しており、該ピンは該ボックス内に組み込まれるよう適合されており、該シール用リングは第１ベース（２１）と、該第１ベースと軸方向に相対する第２面と、該第２面上で該軸線（Ａ）に対し傾けられた角度で位置付けられた少なくとも２つの突出する環状リップ（１５，１６）と、少なくとも２つの環状リブ（１８）を有する外側円柱面と、そして該シール用リング（１１）内に少なくとも部分的に埋め込まれた強化リング（１４）と、を備えており、該シール用リングは該ピンと該ボックスとの間に間挿され、該ピンのねじ部分の端部の後で該ピンの表面の１部分内に位置付けられ、該環状リブ（１８）により該ボックスの内面と緊密にシール接触しており、そして内面（１３，１９，２０）により該ピンの外面（２２）と緊密にシール接触をしているねじ接合部。
【請求項２】
シール用リング（１１）が急な変動のない規則的な形状の内面（１９）を有する請求項１記載のねじ接合部。
【請求項３】
内面（１９）が一定直径を有する円柱状である請求項２記載のねじ接合部。
【請求項４】
内面（１９）が円形である請求項２記載のねじ接合部。
【請求項５】
内面（１９）が約３度のテーパーを有する円錐台形状である請求項２記載のねじ接合部。
【請求項６】
シール用リング（１１）が内面上に突出する環状リブ（１３）を有する請求項１記載のねじ接合部。
【請求項７】
シール用リング（１１）がエラストマー材料で作られる請求項１記載のねじ接合部。
【請求項８】
第１ベース（２１）が実質的に平面である請求項１乃至７の何れか１項に記載のねじ接合部。
【請求項９】
接合部が組み込まれた後、シールリングが上に静止するピンの外面（２２）の１部分が１０度より小さい角度で軸線（Ａ）の方へテーパーが付けられている請求項１記載のねじ接合部。
【請求項１０】
接合部が組み込まれた後、シールリングが上に静止するピンの外面（２２）の１部分が軸線（Ａ）に平行である請求項１記載のねじ接合部。
【請求項１１】
ボックスの内面が、接合部が組み込まれた後、シール用リング（１１）の外側部分を収容するよう適合された環状溝（１０）を有する請求項１記載のねじ接合部。
【請求項１２】
強化リング（１４’）が方形断面（１４）を有する請求項１記載のねじ接合部。
【請求項１３】
強化リング（１４”）が長方形断面を有する請求項１記載のねじ接合部。
【請求項１４】
強化リング（１４’”）が多角形又はＴ字型断面を有する請求項１記載のねじ接合部。
【請求項１５】
強化リング（１４）がリングボデイ（１１）から縦方向に部分的に突出する請求項１１乃至１４の何れか１項に記載のねじ接合部。
【請求項１６】
コーティングがシールリング接触面（２４，２５，２６，２７）上に設けられ、これによって、シールリングの摺動性が増加される請求項１乃至１５の何れか１項に記載のねじ接合部。
【発明の詳細な説明】
【技術分野】
【０００１】
本発明はねじ接合部に関し、特定すると炭化水素産業で使われ、特にオーシーテージー（ＯＣＴＧ）（産油地チューブ品）及び海底採掘適用設備のパイプラインの分野で使う掘削パイプを作るため予め規定された長さのチューブを連結するねじ接合部に関する。
【背景技術】
【０００２】
石油、もっと一般的には炭化水素の探索は近年ハードウエア及びデバイスの意味で益々厳しくなっているが、それは油田及びガス田又はリザーバーがより深く、又は到達し難い場所に、そして海底下に位置しているからである。炭化水素産地の期待と開発は、過去には余り重要でなかった高負荷及び腐食の様な環境的挑戦にもっと耐えるハードウエアを使用することを必要とさせる。
【０００３】
近代的接合は一般に、通常、該接合部の一端又は両端のねじ部分の、適当な応力大きさ用の弾性係数の弾性範囲で締める、２面間の接触により作られる金属対金属のシールを用いて設計される。しかしながら、特定の状況では、ねじの隙間内への外部流体の貫入を防止するため、金属シールの代わり、又は金属シールと組み合わせた弾性シールが必要となる。
【０００４】
従って、腐食速度を減ずるために、該接合部シールが外部又は内部流体の貫入に抵抗すること、又は少なくとも、既に貫入した流体の周囲流体との連続した交換をさせないことが設計要求である。
【０００５】
述べられた問題を解決するために、種々の解決策が提供されて来たが、該解決策の１つは該ねじ部分の外側で該接合部端部へのプスチック材料製のシールリング、例えばＯ−リングの挿入から成る。
【０００６】
ボックス上に予め設置されるＯ−リングを使うことは普及した慣行であるが、この慣行は２つの欠点を有し、１つは該リングの設置時及び／又は組み込み時に該シールリングが破損され得ることであり、もう１つは単純断面のＯ−リングは非常に豊富なシール機能は提供出来ないことである。
【０００７】
効率を上げ、外部流体が接合部のギャップ内に貫入するのを防止するために、より複雑な形状を有するシールリングも提案されて来た。しかしながら、この様なシールリングは最初の組み込み操作時及び動作寿命中の両者で、大きな応力と不利な環境条件に供されるので、或る時間後それらの効率は遙かに減じられる。
【０００８】
この様な弾性シールリングのもう１つの欠点は組み込み操作時に引き起こされる損傷から成るが、それは現地の操作者がチューブ間の打撃を引き起こすためである。シールリングはかくして破られたり、永久変形を受け、それは後で動作寿命中シール効率を危うくする。
【０００９】
特許文献１はテーパ付き雄ねじ及び雌ねじで炭化水素井戸用パイプを連結するねじ結合を開示しており、該ねじ結合では、該雌ねじ要素の自由端近傍に環状ハウジングが設けられ、該ハウジングは変形可能なシール用リングの半径方向に圧縮される部分を受け、一方、該リングの保持リップは該雌ねじ要素の更に環状のハウジング内で該雄ねじ要素上のリブにより静止させられる。しかしながら、この様なリップはその小さな断面のために弱く、壊れやすい要素であり、その形状は高い摺動可能性を有する材料での製造を要する。そ
れは容易に破壊し、軸方向に移動するのに未保持で自由なシールリングを残す。更に、該シールリングは低摩擦係数を有する材料で作られ、使用される入手可能な材料範囲を減ずる。
【００１０】
この様なシールリングは全体で作用する多数シール機構付きシールと考えられてもよい。この解決策のもう１つの欠点は、シールリングを位置付けるためにピン及びボックス上に専用環状リブ及び／又は溝を加工する必要があり、その必要性が高価で長い操作を課すことである。リブ及び／又は溝の作成は、組み込み後にボックスのノーズに対する正しい相対的軸方向位置を決めるために高精度の機械加工を要する。更に、シールリングは組み込み時に捻れを起こしがちで、それは操作を難しくする。
【先行技術文献】
【特許文献】
【００１１】
【特許文献１】国際公開第ＷＯ２００４０５３３７６号公報
【発明の概要】
【００１２】
従って、本発明の主な目的は前記欠点を克服し、操作時簡単で確実な初期組み込み操作と、高いシール効率と、を共に保証する革新的なシールリングを有するねじ接合部を提供することである。
【００１３】
上記目的は、軸線を規定しており、ピンとして規定される雄ねじチューブと、ボックスとして規定される雌ねじチューブと、そしてシール用リングと、を具備しており、該ピンは該ボックス内に組み込まれるよう適合されており、該シール用リングは第１ベースと、該第１ベースに対し軸線方向に相対する第２面と、該第２面上で該軸線に或る角度で置かれる少なくとも２つの突出する環状リップと、少なくとも２つの環状リブを有する外側円柱面と、そして該シール用リング内に少なくとも部分的に埋め込まれた強化リングと、を備えており、該シール用リングは該ピンと該ボックスの間に間挿され、該ピンのねじセクションの端部の後ろで該ピンの表面の１部分内に置かれ、該環状リブにより該ボックスの環状溝の内面と緊密にシール接触をしており、そして内面により該ピンの外面と緊密にシール接触をしている、ねじ接合部に依る本発明により達成される。
【００１４】
ねじ接合部の改良に寄与する本発明の革新的組み合わせの特徴はかくして、Ｖ字断面のマウスであり、該マウスは、外部流体からの圧力がその端部に印加された時、リング端部のピン及びボックスの面とのより良い接触を保証する。該外部に突出するリブは、それらが接着するピン及びボックスの面上へのより良い特定圧力を保証する。該シール用内面は該ピン外面に作られたリングハウジング内の良い位置付けと接触を保証する。強化リングの提供は該シールリングがピン上に緊密性を保持することを保証する。
【００１５】
本発明のシールリングは該ピン上に予め搭載され、かくして組み込み時の該シールリングの損傷を避けるので有利である。その上、該シールリングは追加的な重なり合った又は非常に豊富なシール機能を誇るが、該機能は、たとえ、該機能の１つが外部流体により異常に破られても、接合部全体への緊密性を確保する。組み込みの完了後、該シールリングは仕上げ層及びコーティング層が設けられたボックスの内面とピンの外面とにより環状ハウジング内に保持される。該ハウジングは該シールと一緒に協力するよう特に設計された形状を有する。該コーティングは又ピン及びボックスの両者の加工面を保護する。
【００１６】
本発明の接合部は共通のねじ加工操作から離れた追加の加工操作を要しない。好ましくは、シール用リング内に埋め込まれるのがよい強化リングの提供は、該リングのねじれを防止し、組み込み操作を容易化し、該シールリング自身のより容易な取り扱いと組み込みを大幅に保証する。
【００１７】
従来技術のリング用に共通に使われると等しい巻回力の存在下で、該シール用リングの外面に存在する突出リブにより、ピンとボックスの間のシール用リングの圧縮により引き起こされる応力の集中と一層高い局所的接触圧力が作られ、それは該接合部のシール能力を高める。
【００１８】
該シールリング接触面上へのコーティングの提供は該ハウジング用に必要な摺動可能性を保証し、該シールリングは容易に巻く、割り込む又は動くことが出来る。
【図面の簡単な説明】
【００１９】
上記及び他の目的は下記の詳細説明と付置する図面を参照することにより更に容易に明らかになる。
【図１】本発明による接合部の縦軸方向面上の断面図を示す。
【図１ａ】本発明による接合部のもう１つの実施例の縦軸方向面上の断面図を示す。
【図２ａ】図１の接合部の特定の実施例の拡大断面図を示す。
【図２ｂ】図１の接合部の特定のもう１つの実施例の拡大断面図を示す。
【図３】図１の接合部の特定のもう１つの実施例の拡大断面図を示す。
【図４ａ−４ｃ】本発明による接合部の特定の他の実施例を示す。
【実施例１】
【００２０】
特に図を参照すると、公称外径Ｄを有する雄のチューブ、すなわちピン３と、外径Ｄ１の雌のチューブ、すなわちボックス２と、の２本のチューブを連結する参照数字１で大局的に指示されるねじ接合部が示されている。
【００２１】
該ピン３は適当な形状、例えば台形、の雄ねじを有するねじ部分５を備え、ボックス２は雌ねじを有する雌ねじ部分４を備える。該チューブ、ピン及びボックスの共通軸線はＡで指示される。
【００２２】
該ボックス２のノーズ６に近い部分にねじのない面７を有する。有利であるが必ずしも必要でないことであるが、環状溝１０の形のハウジングがボックス２の内面上に作られ、ねじ４の端部及びノーズ６の間に含まれる。このハウジングはシール用リング１１を収容する。図１に示される実施例では、ボックス２の内面に作られるハウジング１０は好ましくは円柱面を有するのがよい。
【００２３】
シール用リング１１は主ボデイを有し、該主ボデイ上には外側に環状溝１７で分離される１つ以上の環状リブ１８がある。ねじ部分４，５により近い端部に、シール用リング１１は、これに限らないが、実質的に平坦なベース２１を有する。
【００２４】
このベース２１に近く、もう１つの材料の強化リング１４が設けられるが、該材料はより大きな堅さの、アルミニウム、銅、銀、ニッケル、鋼又はステンレス鋼の様な金属が好ましいが、これに限らない、金属を有する。或る強化リング１４はカドミウム、銅、ニッケル、銀、金、又はインジウムでメッキされるか又はコーティングされる。他のものは熱処理、時効硬化又は焼鈍される。
【００２５】
強化リング１４はシール用リング１１内に完全に埋め込まれるか、又はシーリングリング１１の外部に、ベース２１と同一面か又は突出しているかの何れかの露出された面の１つを有してもよい。強化リングは種々の断面形状、例えば図４ａ、４ｂ、４ｃの例により示される様に、円形１４’、方形１４”、長方形又は多角形又はＴ字形１４'”、を有してもよい。ピンとボックスの間の空間内で圧縮された時、エラストマーの変形を可能にするように、強化リング１４の半径方向の厚さはエラストマーシールリング１１の半径方向の厚さより常に小さくなければならない。
【００２６】
シール用リング１１は縦方向の反対端に２つの環状リップ１５，１６を有し、これらリップは負荷のない位置では軸線Ａに対してそれぞれ傾いた方向で該シール用リング１１の境界線を超えてそれぞれ突出する。２つの環状リップ１５及び１６により規定された空間内において、環状溝は規定されており、この環状溝は軸方向断面内ではＶ形マウス１２の様に見える。
【００２７】
第１実施例で、シール用リング１１の内面は図１に示され、この内面は軸線方向に波打ち、軸方向平面に沿う断面で見た時、環状溝２０で分離された複数の環状リブ１３を有する。
【００２８】
もう１つ別の実施例では、シール用リングの内面１９は急激な変動を有していない。この場合に図２に示す様に単なる円柱形を有してもよく、或いは代わりに丸形又はドーナッツ形又は円錐台形を有してもよい。この実施例で、軸線Ａに対する面１９の円錐角βは約３度である。これはピン上のシール用リングの搭載を容易にする。
【００２９】
図２ａ、２ｂの実施例では、内面１９は環状リップ１５から適当な半径の溝１９’により分離される。
【００３０】
強化リング１４により、シール用リング１１の全ての実施例では巻回力を印加するが、この巻回力はシール用リングの内面を外側ピン面に対して押し付け、シール用リング１１とピンの外面の間の緊密性を向上する。シール用リング１１により印加されるこの巻回力は、組み込み完了後、シール用リングのために設計された領域のピン面の小さなテーパーにより更に高められる。シール用リング１１が設置位置で静止するピン３の面２６は、１５度より小さい、好ましくは３度の角αだけ軸線Ａに対し傾斜している。これはシールリング１１が、動作時、増加した把持力の抵抗によりその位置から滑り離れるのを防止する機能を有する。この場合、シール用リング１１は、摩擦力と、円錐状のピン面２６により増加するフープ応力と、の両者により所定位置に保たれる。
【００３１】
図１ａのねじ接合部の実施例を特に参照すると、代わりに、組み込み完了時にシール用リング１１が静止する面２４の部分は、円柱状にされてもよい。この特定の実施例では、ピン３上でのボックス２の組み込み時に、シール用リング１１のねじ部分５に近い初期位置付け面２７から面２４上の最終位置の方へピン３に沿って滑ることを容易にするために円錐台面２５が設けられるので有利である。
【００３２】
この実施例では、ピンは１５度より小さい円錐性を有する円錐台面２５を設けており、２つの円柱面２４と２７の間に挿入される。この場合、円柱面２４は組み込み後のシール用リングのハウジングであり、シールリングは一定のフープ応力又は巻回力により作られる軸方向摩擦力により面２４上の所定位置に保たれる。
【００３３】
有利なことに、図３の実施例で示される様に、シール作用の有効性を改善するため、シール用リングのこの内面は又、円柱部分１９を有する部分と環状溝２０により挿入される１つ以上の突出リブ１３を有する部分と、の組み合わせであってもよい。
【００３４】
シール用リング１１は種々のエラストマー材料、例えば、アクリロニトリルブタヂエン｛エヌビーアール（ＮＢＲ）｝、カーボキシレーテッドニトリル｛エックスエヌビーアール（ＸＮＢＲ）｝、エチレンアクリレート｛エイイーエム（ＡＥＭ）｝、エチレンプロピレンゴム｛イーピーエム（ＥＰＭ）、イーデーピーエム（ＥＰＤＭ）｝、ブチルゴム｛アイアイアール（ＩＩＲ）｝、ブタヂエンゴム｛ビーアール（ＢＲ）｝、クロロブチルゴム｛シーアイアイアール（ＣＩＩＲ）｝、クロロプレンゴム｛シーアール（ＣＲ）｝、クロロスルホン化ポリエチレン｛シーエスエム（ＣＳＭ）｝、エピクロロヒドリン｛シーオー（ＣＯ）、イーシーオー（ＥＣＯ）｝、フルオロカーボン｛エフケーエム（ＦＫＭ）｝、フルオロシリコーン｛エフブイエムキュー（ＦＶＭＱ）｝、水素化ニトリル｛エイチエヌビーアール（ＨＮＢＲ）｝、パーフルオロエラストマー｛エフエフケーエム（ＦＦＫＭ）｝、ポリアクリレート｛エイシーエム（ＡＣＭ）｝、ポリウレタン｛エイユー（ＡＵ）、イーユー（ＥＵ）｝、シリコーンゴム｛キュー（Ｑ）、エムキュー（ＭＱ）、ブイエムキュー（ＶＭＱ）、ピーブイエムキュー（ＰＶＭＱ）｝、スチレンブタヂエン｛エスビーアール（ＳＢＲ）｝、テトラフルオロエチレン−プロピレン｛エイエフエルエイエスアール（ＡＦＬＡＳ(R)）｝、で作られてもよい。
【００３５】
ねじ接合部１は、ピン３及びボックス２の軸線Ａを含み、中を流体、例えば、天然ガス、又は石油の様な炭化水素、又は他の同様な流体が流れる内部空間又はダクト９と、特定の応用品に於ける海水の様な種々の種類の流体と接触してもよい外側空間８と、を規定する。シール用リング１１はねじ接合部１に追加のシール容量を提供するが、このシール容量はねじ接合部の外側にある外部流体がねじ接合部のねじの隙間２３内に漏れることを防止する。
【００３６】
ピン３とボックス２の間の接合部から遠い範囲で、チューブの公称外径Ｄはスリーブ接合の場合のボックス２の端部部分の外径Ｄ１より小さくてもよく、或いは一体の“フラッシュ”型接合の場合には等しくてもよい。
【００３７】
上記の様に、このシール用リング１１は１つより多いシール機能を誇りにする。これら機能の１つは環状溝１２により行われるが、環状溝は外圧の作用下で半径方向に開き、この様な圧力に比例的に反応することによりエネルギー自給可能なシールを構成し、環状溝の内側及び外側リップ１５，１６のそれぞれがピン３及びボックス２の面への接着性を増す。
【００３８】
なおもう１つのシール機能は、半径方向に突出し、多数のＯ−リングとして動作する外側環状リブ１８により行われ、シール用リングと、ボックス２の内面の間の緊密性を保証する。
【００３９】
本発明のシール用リング１１を有するねじ接合部の搭載方法は次の様である。結合の組み込みの前に、このシール用リング１１はねじ部分５上のピン３上に予め搭載され、面２７上に置かれる。シール用リングの位置への設置は組み込み時のシール用リング１１の損傷を避けるが、この回避は、ボックス上に予め搭載され、ピンのねじを横切るよう引きずることを強いられる大抵の従来技術のシール用リングに優る利点である。シールリング１１がピン３上に搭載された後、標準の組み込み操作が行われる。組み込みが終了に近付くと、シール用リングはベース２１上のボックス２の当接部２８により最終位置へ僅かに押される。組み込みのこの最終部分で、シール用リング１１は最終休止面、ねじ接合部の実施例により２４か又は２６の何れか、に対し押され、それによりピン３上のシール用リング１１の接着性を徐々に増加させる。反対側では、シール用リング１１は、もしこの溝が存在すれば、ボックス上のハウジング１０内に入るが、ハウジング１０はシール用リングが内圧か又は外圧か何れかの下で軸線方向に摺動しないことを保証する。
【００４０】
接合部１が最終組み込み位置に達すると、シールリング１１は最終形状を取り、最終設計応力と変形に達する。シール用リング１１は次いで上述の３つのシール機能を果たし、組み込み操作が完了した後、作用レベルまでエネルギー付与され、そしてシール用リング１１は流体圧力下での更に進んだ変形をする用意が出来上がる。
【００４１】
シール用リング１１は１レベルの保護だけを提供する古典的Ｏ−リングの使用に対する改良された代替えである。これはねじ接合部に幾つかの利点を与えるが、それらは
−シール用リング１１により提供される多数シール機能のお陰で、漏れに対する成功裡の障害を提供する能力、
−エネルギー自給可能なＶ字形環状溝１２、外部に突出するリブ１８、そしてシール用リング１１内部に又は部分的に外部に完全に埋め込まれた強化リング１４、の組み合わせのお陰で、たとえこれら部品の１つが破損しても緊密性を保持する、追加的に重なり合う、非常に豊富な機能、である。
【００４２】
本発明のなおもう１つ有利な実施例では、シール用リング１１は図２示す様に、完全に円柱形の内面１９を有してもよく、或いは代わりに内面１９の１部が内側の突出するリブ１３を有してもよい。
【００４３】
シール用リングはボックスの内面とピンの外面の間の接合部の外部で使われるのが好ましい。この様な接合部は又ピンのノーズの近くで内部の金属対金属のシールを有してもよい。
【００４４】
これらの特徴のお陰で、本発明の接合部は漏れを殆ど完全に阻止し、充分な緊密性を提供する。
【００４５】
本発明は特に海底採掘適用設備に於ける、石油及びガス産業用のオーシーテージー及びパイプライン接続の分野で使われるのが好ましい。
【図１】
2010530943.tif 000003
【図１ａ】
2010530943.tif 000004
【図２ａ】
2010530943.tif 000005
【図２ｂ】
2010530943.tif 000006
【図３】
2010530943.tif 000007
【図４ａ）】
2010530943.tif 000008
【図４ｂ）】
2010530943.tif 000009
【図４ｃ）】
2010530943.tif 000010
【国際調査報告】
2010530943.tif 000011
2010530943.tif 000012
2010530943.tif 000013